(57)【要約】      （修正有）【課題】広い設置場所を必要とせず、かつ、設置作業が極めて簡単であるとともに、歩道側の歩行者に対しても十分な宣伝効果を得ることのできる表示一体型画像形成装置を提供する。【解決手段】表示一体型画像形成装置は、原稿読取手段と印字手段を備えた画像形成装置Ａ１と、画像形成装置Ａ１の裏面もしくは側面から視認可能な第１表示画面２２を備える表示装置２１とを有している。第１表示画面２２に表示した提供情報から、ユーザが任意の情報を選択すると、第１表示画面２２にパスワードなどの印刷に関係する情報が表示される。それを視認したユーザは、画像形成装置Ａ１を操作して上記パスワードを入力することで、選択した提供情報に予め関連付けられている情報を印字出力させることができる。【選択図】図２
2010034930.tif 000002
【特許請求の範囲】
【請求項１】
原稿の画像を読み取る原稿読取手段、操作入力を受け付ける第１操作手段、該第１操作手段に対する操作に応じて印字動作を行う印字手段、及び前記各手段を制御する制御手段を備えた画像形成装置と、
該画像形成装置の少なくとも一側面に配置され、前記画像形成装置の裏面もしくは側面から視認可能な第１表示画面を備えた表示装置とを有し、前記画像形成装置の制御手段によって、前記第１表示画面に、利用者に提供するための各種提供情報を表示する表示一体型画像形成装置において、
前記第１表示画面に対する操作入力を受け付ける第２操作手段を有し、該第２操作手段に対する操作により、前記第１表示画面に表示した提供情報が選択された場合、該選択された提供情報の印刷に関係する情報を前記第１表示画面に表示することを特徴とする表示一体型画像形成装置。
【請求項２】
請求項１に記載の表示一体型画像形成装置において、
前記画像形成装置は、情報を記憶する記憶手段を有し、前記制御手段は、前記選択された提供情報の印刷に関係する情報を、前記記憶手段に記憶することを特徴とする表示一体型画像形成装置。
【請求項３】
請求項２に記載の表示一体型画像形成装置において、
前記第１表示画面に表示した前記提供情報の印刷に関係する情報が、前記第１操作手段に対して入力された場合、前記印字手段は、前記選択された提供情報に予め関連付けられている情報を印字することを特徴とする表示一体型画像形成装置。
【請求項４】
請求項２または３に記載の表示一体型画像形成装置において、
前記制御手段は、前記第１表示画面に表示した前記提供情報の印刷に関係する情報が、前記第１操作手段に対して入力された場合、前記第１表示画面に表示した前記提供情報の印刷に関係する情報を消去することを特徴とする表示一体型画像形成装置。
【請求項５】
請求項２〜４のいずれか１項に記載の表示一体型画像形成装置において、
前記制御手段は、前記第１表示画面に前記提供情報の印刷に関連する情報を表示した後、前記提供情報の印刷に関連する情報が、前記第１操作手段に対して入力されない状態で所定時間経過した場合、前記第１表示画面に表示した前記提供情報の印刷に関係する情報を消去することを特徴とする表示一体型画像形成装置。
【請求項６】
請求項５に記載の表示一体型画像形成装置において、
前記第１表示画面に表示した前記提供情報の印刷に関係する情報を消去した後、前記第１表示画面に表示した前記提供情報の印刷に関係する情報が前記第１操作手段に対して入力されない状態で所定時間経過した場合、前記第１表示画面に表示した前記提供情報の印刷に関係する情報を前記記憶手段から消去することを特徴とする表示一体型画像形成装置。
【請求項７】
請求項２〜６のいずれか１に記載の表示一体型画像形成装置において、
該表示一体型画像形成装置は、前記画像形成装置の操作者から視認可能な第２表示画面を備え、
前記第２表示画面は、前記画像形成装置より上方に突出するように配置されていることを特徴とする表示一体型画像形成装置。
【請求項８】
請求項７に記載の表示一体型画像形成装置において、
前記第２表示画面に対する操作入力を受け付ける第３操作手段を有し、
前記第１操作手段または前記第３操作手段のいずれかに対して、前記第１表示画面に表示した前記提供情報の印刷に関係する情報が入力された場合、前記印字手段は、前記選択された提供情報に予め関連付けられている情報を印字することを特徴とする表示一体型画像形成装置。
【請求項９】
請求項７または８に記載の表示一体型画像形成装置において、
前記制御手段は、前記第１表示画面に表示した前記提供情報の印刷に関係する情報が、前記第１操作手段または前記第３操作手段のいずれかに対して入力された場合、前記第１表示画面に表示した前記提供情報の印刷に関係する情報を消去することを特徴とする表示一体型画像形成装置。
【請求項１０】
請求項７〜９のいずれか１項に記載の表示一体型画像形成装置において、
前記制御手段は、前記第１表示画面に表示した前記提供情報の印刷に関係する情報が、前記第１操作手段または前記第３操作手段のいずれかに入力されない状態で所定時間経過した場合、前記第１表示画面に表示した前記提供情報の印刷に関係する情報を消去することを特徴とする表示一体型画像形成装置。
【請求項１１】
請求項１０に記載の表示一体型画像形成装置において、
前記制御手段は、前記第１表示画面に表示されている前記提供情報の印刷に関係する情報の表示を消去した後、前記第１表示画面に表示した前記提供情報の印刷に関係する情報が、前記第１操作手段または前記第３操作手段のいずれかに入力されない状態で所定時間経過すると、前記第１表示画面に表示した前記提供情報の印刷に関係する情報を前記記憶手段から消去することを特徴とする表示一体型画像形成装置。
【請求項１２】
請求項３または８に記載の表示一体型画像形成装置において、
前記制御手段は、前記印字手段による前記選択された情報の印字の完了に応じて、前記第１表示画面に表示した前記提供情報の印刷に関係する情報を前記記憶手段から消去することを特徴とする表示一体型画像形成装置。
【発明の詳細な説明】
【技術分野】
【０００１】
本発明は、表示一体型画像形成装置に関し、より具体的には、複合機やデジタル複写機等の画像形成装置に大型の表示装置を融合させた表示一体型画像形成装置に関する。
【背景技術】
【０００２】
近時、複合機やデジタル複写機等の画像形成装置は、コンビニエンスストア（以下、「コンビニ」と略記する）やスーパーマーケット（以下、「スーパー」と略記する）を初めとする量販店などに多く設置されており、主に店を利用するユーザが原稿のコピーを取る場合などに利用されている。
【０００３】
ところで、近時のコンビニは、道路側（歩道側）に面した店舗部分が全面ガラス張りとなっており、歩道を歩いている人に店内の様子が一目で分かるように商品が陳列されている。例えば、図２２に示すように、入り口５００を介して広いスペース側のガラス窓５０１沿いに本棚５１０が設置されており、狭いスペース側のガラス窓５０２沿いに画像形成装置Ａが設置され、その画像形成装置Ａの店内奥側に図示しないレジカウンタが配置されている、といった配置パターンが一般的である。そして、このような配置構成において、従来は、歩道側のガラス窓５０１，５０２に、店外に向かってポスター等の紙広告５０５を直接貼付して、歩行者に対し各種の宣伝活動を行っていた。また、店内の陳列台の僅かな空きスペースに紙広告を貼付して、店内のお客に対する宣伝活動を行っていた。
【０００４】
このような宣伝活動では、広告を頻繁に入れ替えることは難しく、例えば、時間帯によってサラリーマンの通行が多い時間帯はサラリーマンに的を絞った宣伝広告を行い、昼間の主婦層や学生が多い時間帯には、主婦や学生に的を絞った宣伝広告を行う、といったきめ細かい宣伝活動が行えないといった問題があった。
【０００５】
また、歩道側を全面ガラス張りとし、このガラス面に広告を貼付する手法は、不動産会社等にも採用されており、ガラス面の壁一面に各種不動産情報の紙広告を貼付して通行人に提供している。しかし、この場合でも、賃貸契約や売買契約が成立した不動産情報の撤去や、新たな不動産情報の貼付等を従業員が手作業で行う必要があるため、撤去のし忘れや貼り忘れ等が頻繁に発生し、提供情報が必ずしも最新のものでない場合があるといった問題があった。
【０００６】
一方、上記したように、各店舗に設置されている画像形成装置は、もっぱら店を利用するユーザが原稿のコピーを取る場合にのみ利用されており、それ以外にはほとんど利用されていないのが現状である。そこで、このような画像形成装置の利用効率を向上させるための工夫が従来からされている（例えば、特許文献１〜３等参照）。
【０００７】
特許文献１には、店舗に壁面ディスプレイとプリンタとを接続して設置し、壁面ディスプレイに表示された広告情報に対応する印刷ボタンを押下すると、当該印刷ボタンが押下された広告情報をプリンタで印刷することのできる広告情報処理システムが記載されている。
【０００８】
また、特許文献２には、複写機である画像処理装置とキャッシュレジスタとがＬＡＮで接続されており、複写機の原稿台にセットされた掲示画像原稿を読み取ると、この掲示画像を複写機の操作画面に表示するとともに、ＬＡＮを経由してキャッシュレジスタの表示装置に表示する画像処理装置が記載されている。
【０００９】
また、特許文献３には、画像形成装置本体の前カバーまたは側面カバーに液晶モニタを取り付け、パーソナルコンピュータの出力信号を液晶モニタの表示部に表示する構成の画像形成装置が記載されている。
【特許文献１】特開２００２−３２９１３９号公報
【特許文献２】特開２００２−１５６８７３号公報
【特許文献３】特開２００２−５５５０１号公報
【発明の開示】
【発明が解決しようとする課題】
【００１０】
このように、画像形成装置と表示装置とを接続し、表示装置に表示されている広告情報を画像形成装置で印刷したり、画像形成装置から読み取った掲示画像を当該画像形成装置の操作画面やキャッシュレジスタの表示装置に表示することで、画像形成装置を利用して広告宣伝機能を高める工夫が従来から行われている。
【００１１】
しかし、特許文献１のものは、歩道側の壁面全体にディスプレイを設置し、このディスプレイと店内に設置されているプリンタとを通信ケーブルで接続する必要があるため、設置作業が大がかりとなり、また、店舗ごとに設置する必要があることから、設置作業が極めて煩雑であるといった問題があった。また、一旦設置した後は、レイアウトを臨機応変に変更したくても、簡単に行うことができないといった問題もあった。
更に、特許文献１のものでは、表示されている広告情報のプリントボタンを押すとその広告情報が印刷出力されるものであり、その広告を欲しない人がいたずらでプリントボタンを押し、無用な広告情報の印刷出力がなされる可能性があった。
【００１２】
また、特許文献２のものでは、広告情報を画像形成装置の操作画面やキャッシュレジスタの表示画面に表示することは可能であるが、これは店舗内にいる客に対しての宣伝広告であり、店舗前の歩道を歩いている人に対する宣伝広告とはなっていない。また、画像形成装置の操作画面やキャッシュレジスタの表示画面に表示するだけでは、店内の客もほとんど気が付かず、十分な宣伝効果が得られないといった問題があった。
【００１３】
また、特許文献３のものでは、広告情報を液晶モニタの表示画面に表示することは可能であるが、これは画像形成装置の操作者に対する表示であり、店舗前の歩道を歩いている人に対する宣伝広告とはなっていない。また、液晶モニタに広告情報を表示することで、店舗内にいる客に対して宣伝広告を行うことも考えられるが、このような小型の液晶モニタの表示画面に表示するだけでは、店内の客もほとんど気が付かず、十分な宣伝効果が得られないといった問題があった。
【００１４】
さらに、特許文献１及び特許文献２においては、店舗などに設置している装置そのものに広告情報等のデータを記憶しており、データが大きくなればなるほど記憶容量も多く必要となる。
【００１５】
なお、店舗内に画像形成装置と大画面（例えば、５０インチ等）のディスプレイ装置とをケーブルで接続して設置することも行われているが、コンビニやスーパー等の店舗では、売り場面積を如何に広く確保するかが課題であり、このように２つの大型機器を並置することは、売り場面積が狭くなるためあまり普及していない。また、狭い店舗では設置場所すら確保できない場合もあり、店舗側にとって必ずしもメリットのあるシステムとはなっていないのが現状である。
【００１６】
例えば、５２Ｖ型の液晶ディスプレイ（シャープ製  ＰＮ−５２５）の外観寸法は、高さ１２５４ｍｍ×横幅７４２mm×奥行９２ｍｍ、質量４４Kg、そして、液晶ディスプレイのスタンド（シャープ製  ＩＤ−ＤＳ０３Ｗ）の外観寸法は、横幅９１７mm×奥行８７０ｍｍ、さらにデジタル複合機（シャープ製  ＭＸ−３５００ＦＮ）の外観寸法は、高さ９５０ｍｍ×横幅６４５mm×奥行６７０ｍｍ、質量１２０Kg、である。ここで、液晶ディスプレイとデジタル複写機を直列に置くと、床占有面積は、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）必要である。
【００１７】
本発明はかかる問題点を解決すべく創案されたもので、その目的は、広い設置場所を必要とせず、かつ、設置作業が極めて簡単であるとともに、歩道側の歩行者に対しても十分な宣伝効果を得ることのできる表示一体型画像形成装置を提供することにある。
【課題を解決するための手段】
【００１８】
上記課題を解決するために、本発明の第１の技術手段は、原稿の画像を読み取る原稿読取手段、操作入力を受け付ける第１操作手段、第１操作手段に対する操作に応じて印字動作を行う印字手段、及び各手段を制御する制御手段を備えた画像形成装置と、画像形成装置の少なくとも一側面に配置され、画像形成装置の裏面もしくは側面から視認可能な第１表示画面を備えた表示装置とを有し、画像形成装置の制御手段によって、第１表示画面に、利用者に提供するための各種提供情報を表示する表示一体型画像形成装置において、第１表示画面に対する操作入力を受け付ける第２操作手段を有し、第２操作手段に対する操作により、第１表示画面に表示した提供情報が選択された場合、選択された提供情報の印刷に関係する情報を第１表示画面に表示することを特徴としたものである。
【００１９】
第２の技術手段は、第１の技術手段において、画像形成装置は、情報を記憶する記憶手段を有し、制御手段は、選択された提供情報の印刷に関係する情報を、記憶手段に記憶することを特徴としたものである。
【００２０】
第３の技術手段は、第２の技術手段において、第１表示画面に表示した提供情報の印刷に関係する情報が、第１操作手段に対して入力された場合、印字手段は、選択された提供情報に予め関連付けられている情報を印字することを特徴としたものである。
【００２１】
第４の技術手段は、第２または３の技術手段において、制御手段は、第１表示画面に表示した提供情報の印刷に関係する情報が、第１操作手段に対して入力された場合、第１表示画面に表示した提供情報の印刷に関係する情報を消去することを特徴としたものである。
【００２２】
第５の技術手段は、第２〜４のいずれかの技術手段において、制御手段は、第１表示画面に提供情報の印刷に関連する情報を表示した後、提供情報の印刷に関連する情報が、第１操作手段に対して入力されない状態で所定時間経過した場合、第１表示画面に表示した提供情報の印刷に関係する情報を消去することを特徴としたものである。
【００２３】
第６の技術手段は、第５の技術手段において、第１表示画面に表示した提供情報の印刷に関係する情報を消去した後、第１表示画面に表示した提供情報の印刷に関係する情報が第１操作手段に対して入力されない状態で所定時間経過した場合、第１表示画面に表示した提供情報の印刷に関係する情報を記憶手段から消去することを特徴としたものである。
【００２４】
第７の技術手段は、第２〜６のいずれかの技術手段において、表示一体型画像形成装置は、画像形成装置の操作者から視認可能な第２表示画面を備え、第２表示画面は、画像形成装置より上方に突出するように配置されていることを特徴としたものである。
【００２５】
第８の技術手段は、第７の技術手段において、第２表示画面に対する操作入力を受け付ける第３操作手段を有し、第１操作手段または第３操作手段のいずれかに対して、第１表示画面に表示した提供情報の印刷に関係する情報が入力された場合、印字手段は、選択された提供情報に予め関連付けられている情報を印字することを特徴としたものである。
【００２６】
第９の技術手段は、第７または８の技術手段において、制御手段は、第１表示画面に表示した提供情報の印刷に関係する情報が、第１操作手段または第３操作手段のいずれかに対して入力された場合、第１表示画面に表示した提供情報の印刷に関係する情報を消去することを特徴としたものである。
【００２７】
第１０の技術手段は、第７〜９のいずれかの技術手段において、制御手段は、第１表示画面に表示した提供情報の印刷に関係する情報が、第１操作手段または第３操作手段のいずれかに入力されない状態で所定時間経過した場合、第１表示画面に表示した提供情報の印刷に関係する情報を消去することを特徴としたものである。
【００２８】
第１１の技術手段は、第１０の技術手段において、制御手段は、第１表示画面に表示されている提供情報の印刷に関係する情報の表示を消去した後、第１表示画面に表示した提供情報の印刷に関係する情報が、第１操作手段または第３操作手段のいずれかに入力されない状態で所定時間経過すると、第１表示画面に表示した提供情報の印刷に関係する情報を記憶手段から消去することを特徴としたものである。
【００２９】
第１２の技術手段は、第３または８の技術手段において、制御手段は、印字手段による選択された情報の印字の完了に応じて、第１表示画面に表示した提供情報の印刷に関係する情報を記憶手段から消去することを特徴としたものである。
【発明の効果】
【００３０】
本発明によれば、広い設置場所を必要とせず、かつ、設置作業が極めて簡単であるとともに、歩道側の歩行者に対しても十分な宣伝効果を得ることのできる表示一体型画像形成装置を提供することができる。
【発明を実施するための最良の形態】
【００３１】
以下、本発明の実施の形態について、図面を参照して説明する。
図１（Ａ）〜図１（Ｃ）は、本発明の表示一体型画像形成装置の一実施形態の外観斜視図である。
この画像形成装置Ａ１は、正面側から見た形状がコの字型に形成された胴内排紙構造の画像形成装置であり、胴内排紙口部５１の上部側に原稿押さえ蓋５２、原稿読取部５３及びスキャナー部５４が配置され、胴内排紙口部５１の下部側に画像形成部５５及び給紙部５６が配置されている。また、原稿読取部５３の正面側には、キーボード式及びタッチパネル式の操作部５８とが設けられている。
【００３２】
すなわち、この画像形成装置Ａ１は、長方形状に形成された背面側の筐体１１ａと右側面側の筐体１１ｂ、及び胴内排紙口部５１部分がコの字型に切り欠かれた略長方形状の正面側の筐体１１ｃと左側面側の筐体１１ｄとで囲まれているとともに、これら筐体上部が原稿押さえ蓋５２及び原稿読取部５３を含むスキャナー部５４によって覆われた構造となっている。また、図示は省略しているが、筐体下部の四隅にはそれぞれキャスターが設けられており、画像形成装置を自由に押して移動できるようになっている。
【００３３】
この画像形成装置Ａ１は、原稿読取部５３に原稿を置く場合、胴内排紙口部５１の排紙トレイ５７から記録用紙を取り出す場合、給紙部５６に記録用紙を補給する場合は、画像形成装置の正面側から行うことが可能なフロントアクセスタイプとなっている。また、正面側筐体１１ｃの胴内排紙口部５１のすぐ下に前扉１２が設けられ、右側面側筐体１１ｂにも上下２箇所に横扉１３，１４が設けられており、前扉１２の下に給紙部５６の各給紙用カセット５６ａ，５６ｂが前側に引き出し可能に配置されている。そして、前扉１２を開けることにより、トナーの補給、感光体の交換、定着器や帯電器の修理や交換などのメンテナンスを行うことが可能となっている。また、詰まった記録用紙を用紙搬送路から除去する場合には、横扉１３，１４も必要に応じて開くようになっている。ただし、排紙トレイ５７を胴内排紙口部５１に配置する以外、その上部と下部に配置される各構成部は一例であり、この配置構成に限定されるものではない。
【００３４】
上記構成において、本実施形態では、画像形成装置Ａ１の背面側筐体１１ａに、第１表示画面２２を外側に向けて大型の表示装置（ディスプレイ）２１が、画面長手方向を上下に向けて配置した状態で一体的に取り付けられている。すなわち、本実施形態では、画像形成装置Ａ１を大型ディスプレイ２１の脚部として利用している。これにより、画像形成装置Ａ１と大型ディスプレイ２１という２台の大型機器の設置スペースを、実質的に画像形成装置Ａ１の設置スペースに収めることが可能となる。
【００３５】
前述したように、表示装置である液晶ディスプレイと画像形成装置であるデジタル複写機を直列に置くと、床占有面積は、例えば、横幅：液晶ディスプレイスタンド幅９１７ｍｍ×奥行：１５４０ｍｍ（デジタル複写機の奥行６７０ｍｍ＋液晶ディスプレイのスタンドの奥行８７０ｍｍ）の面積が必要であるが、デジタル複合機の背面に液晶ディスプレイを装着すれば、床占有面積は、横幅：液晶ディスプレイ幅７４２ｍｍ×奥行：７６２ｍｍ（液晶ディスプレイの奥行９２ｍｍ＋デジタル複合機の奥行６７０ｍｍ）で済ませることができる。
【００３６】
また、液晶ディスプレイを縦置きにするとバランスが悪いが、デジタル複合機と一体にすることで、デジタル複合機と液晶ディスプレイの重量バランスがよく安定した設置が可能である。これにより、コンビニやスーパー等の狭い店舗においても、画像形成装置を従来から設置している場所にほぼそのまま設置することができる。この場合、表示画面が外側を向くようにして画像形成装置の例えば背面側に表示装置を取り付けると、画像形成装置を従来通り店舗内に設置するだけで、表示装置の表示画面が、道路側（すなわち、歩道側）の壁面ガラスを介して店舗外の歩行者側に向くことになる。従って、この表示装置の表示画面に広告情報を表示することで、店舗外の歩行者にインパクトのある宣伝広告を行うことが可能となる。
【００３７】
また、画像形成装置Ａ１と大型ディスプレイ２１との接続コードも外部に露出することがないので、見かけ上もスッキリするとともに、接続コードを引っかけてしまうといった問題も発生しない。ただし、厳密には、大型ディスプレイ２１の厚み分と後述する上下移動機構部及び回転機構部の奥行き分とのスペースが必要である。これにより、コンビニやスーパー等の狭い店舗においても、画像形成装置を従来から設置している場所に、本発明の表示一体型画像形成装置をほぼそのまま設置することが可能となるものである。
【００３８】
また、大型ディスプレイ２１は、その上部が背面側筐体１１ａより上方に突出するように配置されており、その突出部分の第１表示画面２２とは反対側の面に第２表示画面２３が配置されている。ただし、第２表示画面２３は必須ではないが、利用者の利便性を考慮すると設けておいた方が良い。また、上記実施例では、大型ディスプレイ２１の第１表示画面２２と第２表示画面２３とを一体としているが、それぞれ別体としてもよい。
そして、前記第２表示画面２３を操作手段として利用し、第２表示画面２３の操作手段と操作部５８とのいずれか一方または両方を操作可能とすることにより、利用者の使い勝手を向上させることができる。
【００３９】
図２は、上記構成の表示一体型画像形成装置をコンビニに設置した状態の一例を示しており、図２（Ａ）は斜視図、図２（Ｂ）は平面図である。
すなわち、近時のコンビニは、道路側（歩道側）に面した店舗部分が全面ガラス張りの透明のガラス窓となっており、歩道を歩いている人に店内の様子が一目で分かるように商品が陳列されている。具体的には、入り口５００を介して広いスペース側のガラス窓５０１沿いに本棚５１０が配置され、狭いスペース側のガラス窓５０２沿いに画像形成装置Ａ１が設置されており、その画像形成装置Ａ１の店内奥側にレジカウンタ５０３が配置され、本棚５１０の店内奥側に各種商品棚５１１が配置されている、といった配置パターンが一般的である。
【００４０】
この場合、画像形成装置Ａ１は、背面側に取り付けられた大型ディスプレイ２１の第１表示画面２２が外側（すなわち、店舗外の歩道側）を向くように配置する。これにより、大型ディスプレイ２１の第１表示画面２２が、道路側（すなわち、歩道側）のガラス窓５０２を介して店舗外の歩行者側に向くことになる。従って、この大型ディスプレイ２１の第１表示画面２２に広告情報を表示することで、店舗外の歩行者にインパクトのある宣伝広告を行うことが可能となる。この場合、第２表示画面２３には、歩道側に向かって設置されている第１表示画面２２に表示されている広告情報と同じ情報を表示してもよいし、あるいは、第１表示画面２２に表示されている広告情報に関連する情報（詳細情報等）を表示するようにしてもよい。
【００４１】
これにより、第１表示画面２２の広告内容に興味を持った歩行者が店内に入ってきて画像形成装置Ａ１の前にくると、第２表示画面２３にその詳細情報が表示されているので、第２表示画面２３のタッチパネル若しくは画像形成装置Ａ１の操作部５８を操作することで、所望する情報の印刷等を行うことが可能となる。例えば、第１表示画面２２にクーポンの発券を行う情報が表示されており、これを見た客が店内に入って第２表示画面２３の詳細情報に表示されているクーポンの発券ボタンを操作（タッチ）すると、画像形成装置Ａ１がクーポン券を印刷して出力する、といったことが可能となる。
【００４２】
図３（Ａ）〜図３（Ｃ）は、本実施形態の大型ディスプレイ２１を画像形成装置Ａ１の背面側筐体１１ａに対して上下方向にスライド移動させたときの動作イメージ図、図３（Ｄ）〜図３（Ｆ）は、大型ディスプレイ２１を画像形成装置Ａ１の背面側筐体１１ａに沿って水平方向に±９０度回転させたときの動作イメージ図である。
【００４３】
表示一体型画像形成装置を設置する店舗によっては、ガラス窓５０２の下部分が目隠しされていたり、別の紙広告等が貼付されていたりする場合もあるため、図３（Ａ）〜図３（Ｃ）に示すように高さ調整可能及び高さ位置固定可能とすることで、大型ディスプレイ２１を各店舗に合った最適な高さに設置することが可能となる。同様に、設置する店舗によっては、大型ディスプレイ２１を縦向きではなく横向きに設置したい場合もある。従って、大型ディスプレイ２１を図３（Ｄ）〜図３（Ｆ）に示すように画像形成装置Ａ１の筐体１１ａに沿って回転可能及び所定角度（この例では９０度）位置で位置固定可能とすることで、店舗側の事情に合わせた種々の設置形態をとることが可能となる。
【００４４】
＜ディスプレイ上下移動機構部の説明＞
次に、図３（Ａ）〜図３（Ｃ）に示す上下スライド移動を可能とするためのディスプレイ上下移動機構部の構造の一実施例について、図４及び図５を参照して説明する。ただし、図４は上下移動機構部３０の分解斜視図、図５は上下移動機構部３０を上から見た断面図である。
画像形成装置Ａ１の背面側筐体１１ａの左右両側部には、後方に平行に突出するように設けられた長板形状の一対の保持板３１，３１が一体形成（または、ネジ等によって取り付け固定）されており、この保持板３１，３１によって囲まれた背面側筐体１１ａに、所定の間隔Ｌ１を存して後方に平行に突出するように設けられた長板形状の一対のガイドレール板３２，３２が、図示しないネジ等によって一体的に取り付け固定されている。このガイドレール板３２，３２には、互いに対向する面とは反対側の面（すなわち、保持板３１と対向する面）に、その上端部から下端部まで連通する１条のレール溝部３３，３３がそれぞれ形成されている。
【００４５】
一方、大型ディスプレイ２１の背面側筐体２１ａには、所定の間隔Ｌ２を存して前方に平行に突出するように設けられた長板形状の一対のディスプレイ保持スライダ２４，２４が、ネジ２６等によって取り付け固定されている。このディスプレイ保持スライダ２４，２４には、互いに対向する面に、その上端部から下端部まで連通する１条のレール突起部２５，２５がそれぞれ形成されており、このレール突起部２５，２５が、ガイドレール板３２，３２の各レール溝部３３，３３にそれぞれ嵌まり合うことによって、上下方向にスライド移動可能に係合されている。すなわち、所定の間隔Ｌ１，Ｌ２は、これらレール突起部２５とレール溝部３３との係合を保持した状態で上下方向にスムーズにスライド移動可能となるように設定されている。
【００４６】
また、一方の保持板（図４及び図５では右側の保持板）３１には、対向するディスプレイ保持スライダ２４を固定するための上下動固定ピン３６が設けられている。この上下動固定ピン３６は、コイルバネ３７によって常にディスプレイ保持スライダ２４方向に付勢されており、上下動固定ピン３６をディスプレイ保持スライダ２４の対向する外面側に形成された複数個の固定穴２７（本実施例では２７ａ，２７ｂ，２７ｃの３個）のいずれか一つと係合させて、ディスプレイ保持スライダ２４の高さ位置を固定することにより、大型ディスプレイ２１の高さ位置を調整することができるようになっている。
【００４７】
ここで、大型ディスプレイ２１の高さ位置を、例えば図３（Ａ）から図３（Ｂ）に変更する場合の操作方法について説明する。
まず、保持板３１に設けられている上下動固定ピン３６のハンドル部３６ａを引っ張ってコイルバネ３７を弾性圧縮させ、ディスプレイ保持スライダ２４の固定穴２７ａから上下動固定ピン３６の係合を外す。これにより、ディスプレイ保持スライダ２４がスライド移動可能となる。次に、上下動固定ピン３６のハンドル部３６ａを引っ張った状態で、大型ディスプレイ２１を図３（Ｂ）の位置まで上昇させ、上下動固定ピン３６のハンドル部３６ａの引っ張りを解除する。すると、上下動固定ピン３６に設けられているコイルバネ３７の付勢力（弾性復元力）によって、上下動固定ピン３６がディスプレイ保持スライダ２４の固定穴２７ｂと係合し、大型ディスプレイ２１が図３（Ｂ）の位置に固定されることになる。
【００４８】
なお、上記の操作説明では、ディスプレイ保持スライダ２４の固定穴２７ａから上下動固定ピン３６の係合を外してから、次の固定穴２７ｂに上下動固定ピン３６を係合させるまでの間、ハンドル部３６ａをずっと引っ張るようにしているが、固定穴２７ａから上下動固定ピン３６の係合を外した後、ディスプレイ保持スライダ２４を若干上方にスライドさせた時点でハンドル部３６ａの引っ張りを解除してもよい。これにより、ディスプレイ保持スライダ２４をゆっくりと上昇させていくと、次の固定穴２７ｂに上下動固定ピン３６の先端が一致したときに、コイルバネ３７の付勢力（弾性復元力）によって上下動固定ピン３６が固定穴２７ｂに自動的に係合することになる。
【００４９】
＜ディスプレイ回転機構部の説明＞
次に、図３（Ｄ）〜図３（Ｆ）に示す回転移動を可能とするためのディスプレイ回転移動機構部の構造の一実施例について、図６及び図７を参照して説明する。ただし、図６は回転移動機構部４０の要部斜視図、図７は回転移動機構部４０を上から見た断面図である。
画像形成装置Ａ１の背面筐体１１ａに設けられた大型ディスプレイ２１は、図３（Ｄ）〜図３（Ｆ）に示すように、縦長の表示状態（図３（Ｄ））を中心に時計回りに±９０度回転させて横長の表示状態（図３（Ｂ），図３（Ｃ））にすることにより、使用者の所望する向きに大型ディスプレイ２１を保持できるようになっている。
【００５０】
これを実現するための本実施例の回転移動機構部４０は、画像形成装置Ａ１の背面筐体１１ａに設けられた軸受部４１によって回転軸４２の一端部４２ａ側を支持し、この回転軸４２の他端部４２ｂに大型ディスプレイ２１の背面側筐体２１ａを支持固定した構造となっている。大型ディスプレイ２１の背面側筐体２１ａには、回転軸４２の他端部４２ｂを支持固定するための円筒形状の保持部２８が設けられており、この保持部２８に回転軸４２の他端部４２ｂを挿通した状態で、保持部２８の外周面側から回転軸４２に対してネジ２９等をねじ込むことによって、大型ディスプレイ２１が回転軸４２に一体的に支持固定されている。
【００５１】
一方、画像形成装置Ａ１の背面筐体１１ａに設けられた軸受部４１は、背面筐体１１ａに支持固定された第１軸受部４１ａと、背面筐体１１ａの内部に設けられた軸受支持板４５に支持固定された第２軸受部４１ｂとによって構成されており、回転軸４２の一端部４２ａ側は、これら第１軸受部４１ａと第２軸受部４１ｂとによって支持されている。そして、これら第１軸受部４１ａと第２軸受部４１ｂとの間の回転軸４２に、円周部にピン溝４３ａ、ピン溝４３ｂ、ピン溝４３ｃを９０度毎に設けた回転盤４３が一体的に設けられている。
【００５２】
一方、画像形成装置Ａ１の左側面側筐体１１ｄには、回転軸４２の回転位置を固定するための回転固定ピン４６が設けられている。この回転固定ピン４６は、コイルバネ４７によって常に回転盤４３の方向に付勢されており、回転固定ピン４６を回転盤４３の円周部に設けられた３個のピン溝４３ａ〜４３ｃのいずれか一つと係合させて、回転盤４３の回転位置（すなわち、回転軸４２の回転位置）を固定することにより、図３（Ｄ）〜図３（Ｆ）に示すように、大型ディスプレイ２１を時計回り０度の位置、時計回り９０度の位置、時計回り−９０度の位置にそれぞれ保持することができるようになっている。
【００５３】
ここで、大型ディスプレイ２１の回転角度位置を、時計回り０度の位置（図３（Ｄ）に示す位置）から時計回り−９０度の位置（図３（Ｅ）の位置）に回転させる場合の操作方法について説明する。
まず、画像形成装置Ａ１の左側面側筐体１１ｄに設けられている回転固定ピン４６のハンドル部４６ａを引っ張ってコイルバネ４７を弾性圧縮させ、回転盤４３のピン溝４３ｂから回転固定ピン４６の係合を外す。これにより、回転軸４２が回転移動可能となる。次に、回転固定ピン４６のハンドル部４６ａを引っ張った状態で、大型ディスプレイ２１を図３（Ｅ）の位置まで時計回りに−９０度回転させ、回転固定ピン４６のハンドル部４６ａの引っ張りを解除する。すると、回転固定ピン４６に設けられているコイルバネ４７の付勢力（弾性復元力）によって、回転固定ピン４６が回転盤４３のピン溝４３ｃと係合し、大型ディスプレイ２１が図３（Ｅ）の位置に固定されることになる。
【００５４】
同様に、回転固定ピン４６のハンドル部４６ａを引っ張ってコイルバネ４７を弾性圧縮させ、回転盤４３のピン溝４３ｂから回転固定ピン４６の係合を外した状態で、大型ディスプレイ２１を図３（Ｆ）の位置まで時計回りに＋９０度回転させると、回転固定ピン４６が回転盤４３のピン溝４３ａと係合することになる。
【００５５】
なお、上記の操作説明では、回転盤４３のピン溝４３ｂから回転固定ピン４６の係合を外してから、次のピン溝４３ｃに回転固定ピン４６を係合させるまでの間、ハンドル部４６ａをずっと引っ張るようにしているが、ピン溝４３ｂから回転固定ピン４６の係合を外した後、回転軸４２を反時計方向に若干回転させた時点で、ハンドル部４６ａの引っ張りを解除してもよい。これにより、回転軸４２を半時計方向にさらに回転させていくと、次のピン溝４３ｃに回転固定ピン４６の先端が一致したときに、コイルバネ４７の付勢力（弾性復元力）によって回転固定ピン４６がピン溝４３ｃに自動的に係合することになる。
【００５６】
なお、上記機構部の説明では、ディスプレイ上下移動機構部３０とディスプレイ回転機構部４０とをそれぞれ個別に設けた場合について説明しているが、両機構部を一体として設けてもよい。
【００５７】
これにより、図３（Ａ）〜図３（Ｃ）に示す上下移動と、図３（Ｄ）〜図３（Ｆ）に示す回転移動とを組み合わせて行うことができるので、各店舗の設置条件に合わせた柔軟な配置構成を実現することが可能となる。
【００５８】
次に、本発明の表示一体型画像形成装置の各種配置構成や大型ディスプレイ２１の形状等の他の実施形態について説明する。
例えば、図３（Ｄ）〜図３（Ｆ）では、回転中心が大型ディスプレイ２１の中央部よりやや下側となっている。そのため、この大型ディスプレイ２１を回転させると、図３（Ｅ），図３（Ｆ）に示すように、大型ディスプレイ２１の一方が画像形成装置Ａ１の背面側筐体１１ａの横幅からはみ出すことになる。しかし、コンビニ等では、コピーを有料で提供しており、そのための課金装置が画像形成装置Ａ１の横に設置されているのが普通である。従って、大型ディスプレイ２１のはみ出し幅がこの課金装置の設置幅と略同じ幅である場合には、大型ディスプレイ２１を横置きにしても何ら問題とはならない。
【００５９】
また、上記実施形態では、大型ディスプレイ２１を画像形成装置Ａ１の背面側に取り付けている場合について説明しているが、原稿の読み込みや排紙トレイからの用紙の取り出し、給紙カセットへの記録用紙の補給やメンテナンス等による各扉の開閉等に支障がなければ、例えば図９に示すように、画像形成装置Ａ１の一方の側面側筐体１１ｄに大型ディスプレイ２１を取り付けてもよい。なお、図８（Ａ）は第２表示画面２３がある場合、同図８（Ｂ）は第２表示画面２３が無い場合を例示している。
【００６０】
図９は、図８に示す画像形成装置Ａ１をコンビニに設置した状態の一例を示している。この例では、入り口５００を介して狭いスペース側のガラス窓５０４沿いに、側面側に取り付けられた大型ディスプレイ２１の第１表示画面２２が外側（すなわち、店舗外の歩道側）を向くように、画像形成装置Ａ１をガラス窓５０４に対して横向きに設置している。すなわち、画像形成装置Ａ１の背面側を壁側５０７に向けて設置している。これは、ガラス窓５０４とレジカウンタ５０６との間に画像形成装置Ａ１の利用者の操作スペースが十分に確保できない場合に有効な設置形態であり、画像形成装置Ａ１の側面に大型ディスプレイ２１を取り付けることで、このような設置形態が可能となる。
【００６１】
さらに、上記実施形態では、大型ディスプレイ２１を縦長に設置した場合の当該大型ディスプレイ２１の横幅と画像形成装置Ａ１の横幅とを一致させているが、横幅は必ずしも一致している必要はない。例えば、図１０（Ａ）に示すように、大型ディスプレイ２１の横幅が画像形成装置Ａ１の横幅より若干幅広であってもよく、図１０（Ｂ）に示すように、大型ディスプレイ２１の横幅が画像形成装置Ａ１の横幅より幅狭であってもよい。
【００６２】
さらにまた、大型ディスプレイ２１を画像形成装置Ａ１の一側面を開閉する開閉扉として兼用することも可能である。例えば、画像形成装置Ａ１の背面側筐体１１ａの一側部と、大型ディスプレイ２１の背面側の一側部とを蝶番等で開閉可能に支持することで、図１１に示すように、画像形成装置Ａ１の背面側を開閉することが可能となる。これにより、メンテナンス時や記録用紙が搬送経路上で詰まったときなどに、大型ディスプレイ２１を開くことで、メンテナンス作業や詰まった用紙の取り出しが容易となる。また、画像形成装置Ａ１の内部を開放する扉を大型ディスプレイ２１で兼用することで、従来の横扉１３，１４を省略することが可能となる。
【００６３】
また、上記実施形態では、大型ディスプレイ２１を画像形成装置Ａ１の背面側筐体１１ａまたは側面側筐体１１ｄに取り付けている場合について説明しているが、例えば図１２に示すように、画像形成装置Ａ１の背面側筐体１１ａ及び側面側筐体１１ｄに大型ディスプレイ２１を取り付けてもよい。この場合、２つの大型ディスプレイ１１ａ，１１ｂの表示画面の両方が第１表示画面２２として機能する。
なお、図１２（Ａ）は背面側筐体１１ａに取り付けられた大型ディスプレイ２１ａに第２表示画面２３があり、側面筐体１１ｄに取り付けられた大型ディスプレイ２１ｂに第２表示画面が無い場合、図１２（Ｂ）は背面側筐体１１ａに取り付けられた大型ディスプレイ２１ａに第２表示画面２３が無く、側面筐体１１ｄに取り付けられた大型ディスプレイ２１ｂに第２表示画面がある場合を例示している。さらに、第２表示画面２３は大型ディスプレイ２１ａまたは２１ｂのいずれかに設けたが、両方に設けてもよく、両方に無くてもよい。
【００６４】
また、上記実施例では大型ディスプレイ２１の表示画面の反対側の面に第２表示画面を配置しているが、例えば図１３に示すように画像形成装置Ａ１の側面筐体に大型ディスプレイ２１を配置し、第２表示画面を画像形成装置Ａ１の背面から突出するように配置してもよい。
【００６５】
＜本実施形態の表示一体型画像形成装置のシステム構成の説明＞
本実施形態では、上記構成の表示一体型画像形成装置をデジタル複合機に適用した場合について説明する。図１４は、そのようなデジタル複合機の電気的構成の概略、及びこのデジタル複合機と表示情報を管理している外部のサーバ装置８５との接続関係を示している。
【００６６】
まず、このデジタル複合機（画像形成装置）Ａ１の電気的構成について説明する。
図１４に示すように、デジタル複合機Ａ１は、スキャナー部５４、操作部５８、画像形成部５５、機器制御部５９、ＦＡＸモデム６０、通信部６１、管理部６２、及びハードディスク（ＨＤ）６３を備えている。すなわち、本実施形態のデジタル複写機Ａ１は、ＦＡＸとネットワークプリンタの複合機となっている。
スキャナー部５４は、ＣＣＤ５４ａや原稿検知センサ５４ｂなどを備えたもので、本発明の原稿読取手段に該当する。
操作部５８は、後述するタッチパネルやメカキーである各種機能ボタン等からなる入力部５８ａと、液晶等の表示パネルからなる表示部５８ｂとを備えている。操作部５８は、本発明の第１操作手段に該当する。
【００６７】
図１５は、操作部５８の外観構成例を示す図である。表示部５８ｂは、表示パネル１０１の上面に透明なタッチパネル１０４が配置された構造となっており、この表示部５８ｂの横（図では右横）に各種機能ボタン１０２とテンキー１０３とが配置されている。さらに、テンキー１０３の右横に、スタートボタンや全解除（ＣＡ）ボタンやクリア（Ｃ）ボタンが配置された構成となっている。タッチパネル１０４により、表示パネル１０１の表示画面に対する操作入力が可能となっている。
【００６８】
図１４に戻って説明する。画像形成部５５は、印字データを展開する作業用のメモリ（記憶手段）５５ｂを有する画像処理部５５ａ、外部からきたデータを機器内で保護するためにデータを暗号化してハードディスク６３に一時的に退避（保存）させるとともに、ハードディスク６３に退避させているデータを復号化して画像処理部５５ａに渡す暗号化／復号化部５５ｃ、レーザスキャニングユニット（ＬＳＵ）を有する印字部５５ｄなどを備えている。ここで、印字部５５ｄは電子写真方式に限定されず、インクジェット方式や熱転写方式等様々な形態に適用可能である。印字部５５ｄは、本発明の印字手段に該当する。
【００６９】
機器制御部５９は、機器全体の動作制御を管理する部分であり、本発明の制御手段に該当するものである。この機器制御部５９は、ＣＰＵ、ＲＯＭ、ＲＡＭ等で構成されており、表示制御としては、表示部５８ｂの表示制御の他、大型ディスプレイ２１の第１表示画面２２及び第２表示画面２３の表示制御も行うようになっている。
また、第１表示画面２２及び第２表示画面２３の上面にそれぞれタッチパネル２２ａ、２３ａが配置されており、操作部５８（第１操作手段）とは別にそれぞれ第２操作部（第２操作手段）及び第３操作部（第３操作手段）を構成している。
【００７０】
管理部６２は、機器の動作に必要な情報を管理する部分であり、例えば送受信で言えば、メールアドレスの管理やＦＡＸの電話番号の管理などを行う。また、ハードディスク６３に一時的に退避したデータの位置情報（アドレス情報）の管理や、プリンタモードで動作している場合に、当該プリンタへ出力するデータの位置情報の管理など、機器の動作に必要な情報を一括管理している。
【００７１】
通信部６１は、ＬＡＮ７１及び外部ネットワーク７２との間で双方向通信を行う通信部であり、本実施形態では、受信したデータを機器が扱えるデータに展開するためのメモリを備えたプリンタボードとなっている。従って、通信部６１では、受信したデータをこのメモリ上で展開しながら、作業用のメモリ５５ｂに順次転送する。
【００７２】
上記構成のデジタル複合機Ａ１において、ＦＡＸモデム６０には、電話回線７３を介してファクシミリ装置８１が接続可能となっている。また、通信部６１には、ＬＡＮ７１を介して端末装置（パソコン）８２やＰＯＳ端末８３などが接続可能となっているとともに、無線接続によって携帯端末８４とも接続可能となっている。また、通信部６１には、外部ネットワーク７２を介して外部のサーバ装置８５や、外部の支店（Ｂ店、Ｃ店）等とも接続可能となっている。外部ネットワークには、サーバ装置８５へ広告等の表示を依頼するためにクライアント１、クライアント２も接続されている。本実施形態のデジタル複合機Ａ１は、このようなネットワーク環境の中に配置されている。
【００７３】
大型ディスプレイ２１の第１表示画面２２及び第２表示画面２３に表示する各種情報、表示順序、表示時間等は外部のサーバ装置８５で基本的に管理されている。
上記実施形態では、大型ディスプレイ２１をＡ店に１台としているが、複数台設置し、これら複数台の大型ディスプレイ２１を外部のサーバ装置８５で表示管理を行なうようにしてもよい。
【００７４】
図１６は、サーバ装置８５の電気的構成の概略を示している。
サーバ装置８５は、機器制御部８５０１、ディスプレイ８５０２、キーボード８５０３、コンテンツ受付部８５０４、ＰＯＳデータ管理部８５０５、各店情報管理部８５０６、画像形成装置管理部８５０７、天候データ管理部８５０８、コンテンツ管理部８５０９、表示管理部８５１０、スケジュール管理部８５１１、及び通信部８５１２を備えている。
【００７５】
機器制御部８５０１は、サーバ装置全体の動作制御を管理する部分であり、図示は省略しているがＣＰＵ、ＲＯＭ、ＲＡＭ等で構成されている。ディスプレイ８５０２は、サーバ装置８５が管理している各店の表示装置、画像形成装置の状態等を表示している。また、  キーボード８５０３は、サーバ装置８５から各店の表示装置へ制御指令等を入力するものである。
【００７６】
コンテンツ受付部８５０４は、外部ネットワーク７２を介してクライアント１、クライアント２等から依頼された広告、クーポン券情報等の表示情報、各店からの表示依頼情報、または、サーバ装置８５に直接入力された情報等を受け付ける。また、ＰＯＳデータ管理部８５０５は、各店のＰＯＳ端末８３からの情報の受け付けと管理を行っている。各店情報管理部８５０６は、各店の端末装置８２から入力される地域イベント等の地域情報を記憶、管理している。
【００７７】
画像形成装置管理部８５０７は、画像形成装置のカウンタ情報、動作情況を記憶、管理している。天候データ管理部８５０８は、外部ネットワーク７２を介して、図示しない天候情報を管理している団体（例えば気象庁等）からの情報を取得、管理している。また、コンテンツ管理部８５０９は、コンテンツ受付部８５０４で受け付けた情報を記憶している。表示管理部８５１０は、各店の表示装置の表示画面の分割表示、重ね合わせ表示等を管理している。
【００７８】
スケジュール管理部８５１１は、コンテンツ管理部８５０９に記憶されている情報の表示順序、表示時間等を、大型ディスプレイ２１が設置されている店毎に記憶、管理している。また、スケジュール管理部８５１１は、ＰＯＳデータ管理部８５０５に記憶されている各店舗毎の商品の販売状況や購入商品の客層等の情報に基づく広告表示内容、時間帯による広告内容の入れ換え、天候データ管理部８５０８に記憶されている各地域の天気、気温等の情報に基づく広告表示内容の入れ換え、各店舗情報管理部８５０６に記憶されている地域イベント等の情報に基づく広告表示内容の入れ換え等も管理している。
【００７９】
さらに、スケジュール管理部８５１１では、表示する広告等の表示データが動画であるか静止画であるかも管理し、動画データは各店のデジタル複合機Ａ１のＨＤ６３へデータを転送記憶させた後、スケジュール管理部８５１１の表示スケジュールに従ったタイミングで各店のデジタル複合機Ａ１のＨＤ６３から呼び出して表示させている。これにより、サーバ装置８５からのデータ転送に影響されずスムーズな画像表示が出来るようにしている。一方、静止画データについては、サーバ装置８５のコンテンツ管理部８５０９から各店の表示装置へ直接転送、表示させている。
【００８０】
通信部８５１２は、外部ネットワーク７２との間で双方向通信を行う通信部であり、スケジュール管理部８５１１に記憶されている情報に基づいて、コンテンツ管理部８５０９で記憶されている情報を各店の大型ディスプレイ２１へ配信している。または、サーバ装置８５へ送信されてくる情報を機器制御部８５０１のＲＡＭへ一旦記憶し、機器制御部８５０１から送信された情報の内容に従った場所へ転送される。
すなわち、本実施形態では、サーバ装置８５による管理の下、大型ディスプレイ２１へ広告等の情報を表示させるようになっている。
【００８１】
＜大型ディスプレイに表示された各種データを印字出力する場合の説明＞
次に、上記構成の表示一体型画像形成装置において、大型ディスプレイ２１に表示された各種データを見た客等がデジタル複合機Ａ１から所望するデータを印字出力する場合の実施例について説明する。
図１７及び図１８は、不動産会社に本発明の表示一体型画像形成装置を適用した場合の実施形態を説明するための図で、図１７は本発明の表示一体型画像形成装置を配置した平面図、図１８は物件情報を表示した例を示す図である。
【００８２】
不動産会社においても、コンビニなどのように近時は歩道側を全面ガラス張りとし、このガラス面に広告を貼付する手法が採用されている。従って、このガラス面に本発明の表示一体型画像形成装置の大型ディスプレイ２１の第１表示画面２２を接近させて配置することで、コンビニ等と同様に、不動産情報の宣伝広告を行うことができる。不動産情報の宣伝広告は、本発明に係る提供情報の一例である。
【００８３】
また、上記実施形態では第１表示画面２２の上面にタッチパネル２２ａを配置しているが、図１７ではタッチパネル２２ａのセンサ部を店の外側のガラス面５０２に貼り付けている。このことにより、大型ディスプレイ２１及び画像形成装置Ａ１そのものを保護することができる。つまりこの例では、第１表示画面の表示に対する操作入力を行う第２操作手段は、ガラス面５０２の外側に貼り付けたタッチパネル２２ａによって実現されている。
【００８４】
ここで例えば、図１８（Ｂ）に示すように、第１表示画面２２に３件の物件情報が表示されている時、この物件情報を見た歩行者が、物件情報１１１ａの情報が欲しい場合には、歩行者は、第１表示画面２２の物件情報１１１ａの表示箇所に触れることによって物件情報１１１ａを選択することができる。つまり歩行者が第２操作手段として構成されたタッチパネル２２ａを操作することで、第１表示画面２２に表示されている提供情報を選択することができる。
なお、上記実施形態では３件の物件情報を表示しているが、情報の表示を時間経過と共に切換えて、この３件以外の物件情報を表示するようにすれば、より多くの物件情報を表示することができる。
【００８５】
図１８（Ｂ）で第１表示画面に表示されている物件情報１１１ａを選択した場合の表示の切換えを図１９に示している。物権情報１１１ａが選択された時、第１表示画面２２の物件情報１１１ａの表示箇所には「パスワード「０１２３」をこの表示画面の裏側に配置されている複写機に入力するとこの情報が印刷できます。」の表示がなされ、選択された物件情報１１１ａの情報を印刷物として受け取る方法が表示される。パスワードは、本発明の提供情報の印刷に関係する情報の一例であり、文献情報１１１ａを選択したときに表示されるパスワードは、選択された提供情報の印刷に関係する情報である。
【００８６】
図１８に示される表示を見た物件情報１１１ａの情報を選択した人（以下、“操作者”とする）が、本当に物件情報１１１ａの印刷情報を欲するならば、操作者は店内に入り、画像形成装置Ａ１の前に来て、操作部５８から印刷情報を得るための操作を始める。
【００８７】
物件情報の印刷情報を得るための画像形成装置Ａ１の操作について、再度図１５を参照しながら説明する。まず、操作者は、操作部５８の表示パネル１０１の「アウトプット」１０１ａを押す。これは、「アウトプット」１０１ａの表示部分のタッチパネル１０４を押すことを意味する。「アウトプット」１０１ａを押すと、表示パネル１０１に表示される画面は、図２０（Ａ）に示す画面に切換わる。そして、表示されたパスワードを入力し、「ＯＫ」１０１ｂを押すと、表示パネル１０１の表示画面は図２０(Ｂ)に示す画面に切り換わる。
【００８８】
図２０（Ｂ）に示すように、物件情報が表示されると、操作者は表示された物件情報を確認し、自身が選択した情報と相違なければ「印字」１０１ｃを入力する。また、選択した情報と相違があるか、または不要となった場合には、「キャンセル」１０１ｄを入力する。
「印字」１０１ｃを入力した場合には、所望の物件の印刷情報が画像形成装置Ａ１で印字されて出力される。ここで、印字する情報（印刷情報）は、第１表示画面２２に表示されている情報と同じでもよいし、表示されている情報の関連情報（例えば、物件情報の周辺地図、周辺の生活情報等）でもよい。ここでは、印字する情報は、選択された提供情報（例えば不動産情報）に予め関連付けられている情報である。
【００８９】
また、ここでは、画像形成装置Ａ１の操作部５８からパスワードを入力するようにしたが、第２表示画面２３のタッチパネル２３ａを使用して印刷物を得るようにしてもよい。
例えば、図１８に示される表示を見た物件情報１１１ａの情報を操作者が選択した場合、画像形成装置Ａ１の制御部は、アウトプットを指示入力できる画面（例えば図１５）を第２表示画面２３に表示する。そして操作者がアウトプットを指示すると、さらに図２０のような画面に切換えてパスワードの入力を促す。これに対して、操作者が第２表示画面２３に対してパスワードを入力して「ＯＫ」を押すと、第２表示画面２３が図２０(Ｂ)に示すごとくの画面に切り換わる。そして操作者が、印字を入力することにより、選択した情報の関連情報が印字されるようにすることができる。
【００９０】
あるいはこのときに、表示パネル１０１と、第２表示画面２３とを併用して操作の入力を促すようにしてもよい。例えば、図１８に示される表示を見た物件情報１１１ａの情報を操作者が選択した場合、画像形成装置Ａ１の表示パネル１０１にアウウトプットを指示入力できる画面（例えば図１５）を表示する。そして操作者がアウトプットを指示したときに、第２表示画面２３に対してパスワードの入力を促す画面を表示する。これに対して、操作者が第２表示画面２３に対してパスワードを入力して「ＯＫ」を押すと、第２表示画面２３が図２０(Ｂ)に示すごとくの画面に切り換わる。そして操作者が、印字を入力することにより、選択した情報の関連情報が印字されるようにすることができる。
あるいは、表示パネル１０１と第２表示画面２３に同じ画面または類似の画面を表示し、いずれかの画面からも操作者による入力が可能となるようにしてもよい。
【００９１】
つまり、第２表示画面２３に対する操作入力を受け付ける第３操作手段を備える構成では、提供情報の印刷に関する情報（ここではパスワード）は、画像形成装置Ａ１の操作部５８による第１操作手段と、上記第３操作手段とのいずれかまたは両方に対して入力可能に構成されている。
【００９２】
上記のような構成により、第１表示画面２３に表示されている情報の印字を望む人は、表示そのものを選択するだけでその情報を選択することができ、選択した情報を欲する人のみが印字を実行するので、無用な情報の印字出力をなくすことができる。
【００９３】
図２１は、本発明に係る表示一体型画像形成装置により印刷処理の一例を説明するためのフローチャートである。
表示一体型画像形成装置では、第１表示画面２２に表示している情報が選択されると（ステップＳ１）、選択された情報を印刷するためのパスワードを第１表示画面２２に表示する（ステップＳ２）。そして、表示したパスワードを画像形成装置Ａ１の管理部６２に記憶する（ステップＳ３）。
【００９４】
次に表示一体型画像形成装置では、パスワードを表示してから所定時間内に、画像形成装置Ａ１の操作部５８または第２表示画面２３のタッチパネル２３ａを使用してパスワードが入力されたかどうかを判別する（ステップＳ４）。そして所定時間内にパスワードが入力された場合には、さらに入力されたパスワードと、上記ステップＳ３で管理部６２に記憶したパスワードとが一致するかどうかを判別する（ステップＳ５）。ここでパスワードが一致した場合には、第１表示画面２２に表示しているパスワードを消去し（ステップＳ６）、さらに所定時間内に次のキー入力があるかどうかを判別する（ステップＳ７）。
【００９５】
そして所定時間内に次のキー入力があった場合、そのキー入力が印字キーによる印字スタートＯＮの入力であるかどうかを判別する（ステップＳ８）。ここで印字スタートＯＮの入力であれば、表示一体型画像形成装置では、印字出力を実行する（ステップＳ９）。そして印字出力が終了すれば（ステップＳ１０−ｙｅｓ）、管理部６２に記憶したパスワードを消去し（ステップＳ１１）、印刷処理を終了する。
【００９６】
上記ステップＳ４で、所定時間内にパスワードの入力がなかった場合には、第１表示画面に２２に表示したパスワードを消去し（ステップＳ１２）、さらに消去してから所定時間内にパスワードの入力があるかどうかを判別する（ステップＳ１３）。ここでは、パスワードの入力が無いにもかかわらず第１表示画面２２にパスワードを表示し続けると、物件情報が隠された状態となり広告効果が薄れてしまうことから、所定時間内にパスワードの入力がなかった場合には、その表示を一旦消去し、再度パスワードの入力を待つ。
【００９７】
ステップＳ１３で所定時間内にパスワードの入力があった場合には、ステップＳ５に進み、入力されたパスワードと管理部６２に記憶したパスワードとが一致するかどうかを判別する。また、所定時間内にパスワードの入力が無かった場合には、ステップＳ１１に進んで管理部６２に記憶したパスワードを消去し、印刷処理を終了する。
【００９８】
また、上記ステップＳ５で、入力されたパスワードと管理部６２に記憶したパスワードとが一致しなかった場合で、さらにその所定時間内に再度パスワードが入力された場合（ステップＳ１４−ｙｅｓ）、再度パスワードの一致を確認する（ステップＳ１５）。そしてパスワードが一致すれば、ステップＳ６に進み、第１表示画面２２に表示しているパスワードを消去する。また、ステップＳ１４で所定時間内にパスワードの入力がなければ、ステップＳ１１に進んで管理部６２に記憶したパスワードを消去し、印刷処理を終了する。
また、上記ステップＳ７で、パスワードの消去後所定時間内にキー入力がなければ、この場合にも、ステップＳ１１に進んで管理部６２に記憶したパスワードを消去し、印刷処理を終了する。
【００９９】
さらに上記ステップＳ８で、キー入力が印字キーによる印字スタートＯＮではなかった場合には、入力されたキーはキャンセルキー（キャンセルＯＮ）であり、ステップＳ１１に進んで管理部６２に記憶したパスワードを消去し、印刷処理を終了する。
【０１００】
なお、上記実施形態の表示一体型画像形成装置は、上記したように大型ディスプレイ２１がデジタル複合機Ａ１の装置筐体１１に沿って回転可能に設けられている。従って、機器制御部５９は、大型ディスプレイ２１の回転角度に応じて第１及び第２表示画面２２，２３の表示方向を切り替える必要がある。そのため、本実施形態では、ディスプレイ回転機構部４０の回転盤４３に、回転角度検出手段６４を配置している。
【０１０１】
回転盤４３の回転方向や回転角度を検出する手段は従来から種々提案されており、本実施形態においてもそれらの周知技術を適用することが可能であるが、最も簡単な構成としては、各ピン溝４３ａ，４３ｂ，４３ｃの底面にリミットスイッチ６４ａ，６４ｂ，６４ｃ（図６及び図７参照）を配置し、回転固定ピン４６の先端部がいずれかのピン溝に係合したとき、対応するリミットスイッチがオンするように構成しておけばよい。
【０１０２】
そして、これらリミットスイッチ６４ａ，６４ｂ，６４ｃのオン、オフ信号を機器制御部５９に入力することにより、機器制御部５９において大型ディスプレイ２１の回転方向及び回転角度位置が分かるので、この信号に基づいて大型ディスプレイ２１の第１及び第２表示画面２２，２３の表示方向を切り替えることができる。これにより、店舗側の事情に合わせた種々の設置形態をとることが可能となる。
【図面の簡単な説明】
【０１０３】
【図１】本発明の表示一体型画像形成装置の一実施形態の斜視外観図である。
【図２】表示一体型画像形成装置をコンビニに設置した状態の一例を示す図である。
【図３】表示一体型画像形成装置の実施形態における大型ディスプレイを画像形成装置の背面側筐体に対して上下にスライドさせたときの動作イメージを示す図である。
【図４】表示一体型画像形成装置の実施形態における大型ディスプレイの上下移動機構部の分解斜視図である。
【図５】表示一体型画像形成装置の実施形態における大型ディスプレイの上下移動機構部を上から見た図である。
【図６】表示一体型画像形成装置の実施形態における大型ディスプレイの回転移動機構部の要部斜視図である。
【図７】表示一体型画像形成装置の実施形態における大型ディスプレイの回転移動機構部を上から見た図である。
【図８】本発明の表示一体型画像形成装置の他の実施形態の斜視外観図である。
【図９】本発明の表示一体型画像形成装置をコンビニに設置した状態の他の例を示す図である。
【図１０】本発明の表示一体型画像形成装置の更に他の実施形態の斜視外観図である。
【図１１】本発明の表示一体型画像形成装置の更に他の実施形態の斜視外観図である。
【図１２】本発明の表示一体型画像形成装置の更に他の実施形態の斜視外観図である。
【図１３】本発明の表示一体型画像形成装置の更に他の実施形態の斜視外観図である。
【図１４】本発明の表示一体型画像形成装置の電気的構成の一例を示すブロック図である。
【図１５】本発明の表示一体型画像形成装置の画像形成装置における操作部の外観構成例を示す図である
【図１６】表示一体型画像形成装置に情報を提供するサーバ装置の電気的構成の一例を示す図である。
【図１７】本発明の表示一体型画像形成装置を不動産会社に設置したときの例を説明するための図である。
【図１８】本発明の表示一体型画像形成装置に不動産の物件情報を表示したときの表示例を示す図である。
【図１９】不動産の物件情報から特定の物件情報を選択したときの表示例を示す図である。
【図２０】物件情報を選択したときのパスワードの入力を促す表示画面及び印字指示入力の表示画面の一例を示す図である。
【図２１】本発明の表示一体型画像形成装置によって実行される処理の一例を説明するためのフローチャートである。
【図２２】コンビ二の一般的な配置構成を示す説明図である。
【符号の説明】
【０１０４】
１１…装置筐体、１１ａ…背面側筐体、１１ｂ…右側面側筐体、１１ｃ…正面側筐体、１１ｄ…側面側筐体、１２…前扉、１３，１４…横扉、２１…大型ディスプレイ、２１ａ…大型ディスプレイ、２１ｂ…大型ディスプレイ、２２，２３…表示画面、２２ａ，２３ａ…タッチパネル、２４…ディスプレイ保持スライダ、２５…レール突起部、２６…ネジ、２７ａ、２７ｂ、２７ｃ…固定穴、２８…保持部、２９…ネジ、３０…ディスプレイ上下移動機構部、３１，３２…ガイドレール板、３３…レール溝部、３６…上下動固定ピン、３６ａ…ハンドル部、３７…コイルバネ、４０…ディスプレイ回転機構部、４１…軸受部、４１ａ…軸受部、４１ｂ…軸受部、４２…回転軸、４２ａ…一端部、４２ｂ…他端部、４３…回転盤、４３ａ，４３ｂ，４３ｃ…ピン溝、４５…軸受支持板、４６…回転固定ピン、４６ａ…ハンドル部、４７…コイルバネ、５１…胴内排紙口部、５２…蓋、５３…原稿読取部、５４…スキャナー部、５４ａ…ＣＣＤ、５４ｂ…原稿検知センサ、５５…画像形成部、５５ａ…画像処理部、５５ｂ…メモリ、５５ｃ…復号化部、５５ｄ…印字部、５６…給紙部、５６ａ，５６ｂ…給紙用カセット、５７…排紙トレイ、５８…操作部、５８ａ…入力部、５８ｂ…表示部、５９…機器制御部、６０…ＦＡＸモデム、６１…通信部、６２…管理部、６３…ハードディスク、６４…回転角度検出手段、６４ａ，６４ｂ，６４ｃ…リミットスイッチ、７１…ＬＡＮ、７２…外部ネットワーク、７３…電話回線、８１…ファクシミリ装置、８２…端末装置、８３…ＰＯＳ端末、８４…携帯端末、８５…サーバ装置、１０１…表示パネル、１０２…各種機能ボタン、１０３…テンキー、１０４…タッチパネル、１１１ａ…物件情報、５００…入り口、５０１，５０２…ガラス窓、５０３…レジカウンタ、５０４…ガラス窓、５０５…紙広告、５０６…レジカウンタ、５０７…壁側、５１０…本棚、５１１…各種商品棚、８５０１…機器制御部、８５０２…ディスプレイ、８５０３…キーボード、８５０４…コンテンツ受付部、８５０５…ＰＯＳデータ管理部、８５０６…各店情報管理部、８５０７…画像形成装置管理部、８５０８…天候データ管理部、８５０９…コンテンツ管理部、８５１０…表示管理部、８５１１…スケジュール管理部、８５１２…通信部。
【図１】
2010034930.tif 000003
【図２】
2010034930.tif 000004
【図３】
2010034930.tif 000005
【図４】
2010034930.tif 000006
【図５】
2010034930.tif 000007
【図６】
2010034930.tif 000008
【図７】
2010034930.tif 000009
【図８】
2010034930.tif 000010
【図９】
2010034930.tif 000011
【図１０】
2010034930.tif 000012
【図１１】
2010034930.tif 000013
【図１２】
2010034930.tif 000014
【図１３】
2010034930.tif 000015
【図１４】
2010034930.tif 000016
【図１５】
2010034930.tif 000017
【図１６】
2010034930.tif 000018
【図１７】
2010034930.tif 000019
【図１８】
2010034930.tif 000020
【図１９】
2010034930.tif 000021
【図２０】
2010034930.tif 000022
【図２１】
2010034930.tif 000023
【図２２】
2010034930.tif 000024